(57)【要約】【課題】本発明は、二次電池により駆動する機器との間で煩雑な有線接続やメモリカード等の記録媒体を媒介することなく、簡単な操作でデータ通信を行うことができるデータ通信システムを提供する。【解決手段】本データ通信システムは、デジタルスチルカメラ１と、プリンタ２と、該デジタルスチルカメラ１及びプリンタ２に装着可能な二次電池３とで構成され、二次電池３がデジタルスチルカメラ１から画像データを受信してメモリ２７に記憶し、プリンタ２に装着された二次電池３のメモリ２７から画像データを読み出してプリントアウトする。【選択図】      図２
2004185216.tif 000002
【特許請求の範囲】
【請求項１】
二次電池と、該二次電池により駆動する機器とで構成されたデータ通信システムにおいて、
前記二次電池は、前記機器に接続する接続手段と、
前記接続された機器との間でデータを送受信する通信手段と、
前記データを記憶する記憶手段とを備えることを特徴とするデータ通信システム。
【発明の詳細な説明】
【０００１】
【発明の属する技術分野】
本発明は、データ通信システムに関し、特に、二次電池により駆動するデジタルスチルカメラ等の機器におけるデータ通信システムに関する。
【０００２】
【従来の技術】
従来、デジタルスチルカメラ等の携帯が可能な機器では、例えば、デジタルスチルカメラで撮影された画像データを他の機器に送信する場合、ケーブル等による有線接続か又はメモリカード等の記録メディアを介して行うことが一般的であった。
【０００３】
【発明が解決しようとする課題】
しかしながら、上記従来の機器では、さまざまな機器との間で画像データの使用や加工を行う場合、ケーブル等による機器同士の接続が煩雑であるという問題がある。また、比較的機器を扱い慣れていないユーザが使用することも多いので、操作を簡単にする必要がある。
【０００４】
そこで、これらの問題を解決するために、赤外線を使用したデータ通信方法が提案されてはいるが、該方法を実行する装置（赤外線通信装置）の設置に制限があるなどの欠点がある。
【０００５】
本発明は、上記問題に鑑みてなされたものであり、二次電池により駆動する機器との間で煩雑な有線接続やメモリカード等の記録媒体を媒介することなく、簡単な操作でデータ通信を行うことができるデータ通信システムを提供することを目的とする。
【０００６】
【課題を解決するための手段】
上記目的を達成するために、請求項１記載のデータ通信システムは、二次電池と、該二次電池により駆動する機器とで構成されたデータ通信システムにおいて、前記二次電池は、前記機器に接続する接続手段と、前記接続された機器との間でデータを送受信する通信手段と、前記データを記憶する記憶手段とを備えることを特徴とする。
【０００７】
【発明の実施の形態】
以下、本発明の実施の形態に係るデータ通信システムを図面を参照して詳細に説明する。
【０００８】
（第１の実施の形態）
図１は、本発明の第１の実施の形態に係るデータ通信システムの一例を示す概略図である。
【０００９】
図１のデータ通信システムは、デジタルスチルカメラ１と、該デジタルスチルカメラ１内に装着可能な二次電池３とで構成される。デジタルスチルカメラ１は二次電池３により駆動する。
【００１０】
二次電池３には、電源供給用及びデータ通信用の端子部４が設けられている。一方、デジタルスチルカメラ１側には、二次電池３が装着された際に端子部４と接続するための端子部（不図示）が設けられている。
【００１１】
図２は、図１のデータ通信システムの内部構成の概略を示すブロック図である。
【００１２】
図２において、デジタルスチルカメラ１は、レンズ（ＬＥＮＳ）２０と、レンズ２０に接続されたＣＣＤ２１と、ＣＣＤ２１に接続された制御部２２と、制御部２２に接続されたメモリ（ＭＥＭＯＲＹ）２３と、制御部２２及び二次電池３に接続された通信部２４とを備える。
【００１３】
二次電池３は、デジタルスチルカメラ１側の通信部２４に接続された通信部２５と、通信部２５に接続された制御部２６と、制御部２６に接続された不揮発性のメモリ（ＭＥＭＯＲＹ）２７と、電池セル２９と、電池セル２９を保護する保護回路２８とを備える。
【００１４】
レンズ２０により撮像された画像は、ＣＣＤ２１にて光電変換され、制御部２２にて画像調整された後、メモリ２３に画像データとして格納される。同時に、通信部２４と二次電池３側の通信部２５と間で通信を行い、制御部２６を介してメモリ２７に画像データが保存される。
【００１５】
図３は、図１のデータ通信システムの変形例を示す概略図である。
【００１６】
図３のデータ通信システムは、プリンタ２と、該プリンタ２内に装着可能な二次電池３とで構成される。プリンタ２は、携帯可能なもので二次電池３により駆動する。また、プリンタ２側には、二次電池３が装着された際に端子部４と接続するための端子部（不図示）が設けられている。
【００１７】
図４は、図３のデータ通信システムの内部構成の概略を示すブロック図である。
【００１８】
図４において、プリンタ２は、印刷を行う印刷エンジン３０と、印刷エンジンに接続された制御部３１と、制御部３１に接続された通信部３２とを備える。
【００１９】
二次電池３内のメモリ２７に格納された画像データは、制御部２６を経て通信部２５によりプリンタ２側の通信部３２と通信し、制御部３１に送られる。制御部３１は、画像データを印刷エンジン３０に送信し、該印刷エンジン３０により画像をプリントアウトする。
【００２０】
このように、デジタルスチルカメラ１にて撮影された画像データは、二次電池３内のメモリ２７に格納することが可能である。メモリ２７に格納された画像データは、プリンタ２で印刷が行われる際に、該プリンタ２に装着された二次電池３を介してプリンタ２側に移動する。
【００２１】
二次電池３における端子部４には、電源用端子以外にデータ通信用端子が設けられており、画像データの送受信を行うことができるようになっている。このため、二次電池３をプリンタ２に装着するだけで該プリンタ２への画像データの送信が可能となる。
【００２２】
図５は、図３のデータ通信システムにおける印刷モード切替処理を示すフローチャートである。本処理は、プリンタ２内の制御部３１におけるＣＰＵ（不図示）がメモリ（不図示）から読み出したプログラムを実行することにより行割れる。
【００２３】
図５において、まず、二次電池３がプリンタ２に装着されると（ステップＳ４０）、二次電池３内のメモリ２７に格納されている画像データ全てが標準印刷モードにより印刷可能か否か判別する（ステップＳ４１）。この判別の結果、標準印刷モードにより印刷不可能な場合は（ステップＳ４１でＮＯ）、低速モードへの切り替えを行い（ステップＳ４２）、低速モードによる印刷を実行して（ステップＳ４３）、本処理を終了する。
【００２４】
一方、ステップＳ４１の判別の結果、標準印刷モードにより印刷可能な場合は（ステップＳ４１でＹＥＳ）、標準印刷モードへの切り替えを行い（ステップＳ４４）、標準印刷モードによる印刷を実行して（ステップＳ４４）、本処理を終了する。なお、ステップＳ４４では、高速モードによる印刷が可能か否かを判別するステップを追加して該高速モードによる印刷を実行するようにしてもよい。
【００２５】
本処理により、二次電池３をプリンタ２に装着することによりメモリ２７に格納された画像データの印刷モードを該画像データに応じて選択するので、画像データの印刷を簡単に行うことができる。
【００２６】
上記第１の実施の形態によれば、デジタルスチルカメラ１に装着された二次電池３が該デジタルスチルカメラ１から画像データを受信してメモリ２７に記憶し、プリンタ２に装着された二次電池３のメモリ２７から画像データを読み出してプリントアウトするので、デジタルスチルカメラ１とプリンタ２との間で煩雑な有線接続やメモリカード等の記録媒体を媒介することなく、簡単な操作で機器間のデータ通信を行うことができる。また、赤外線による通信装置を設置することなくデータ通信を行うことができる。
【００２７】
（第２の実施の形態）
図６は、本発明の第２の実施の形態に係るデータ通信システムの概略図である。なお、以下に示す図面において、上記第１の実施の形態における図１〜図４と対応する要素には同一符号を付してそれらの説明は省略する。
【００２８】
図６のデータ通信システムは、携帯電話４１と、該携帯電話４１に装着可能な二次電池３とで構成される。携帯電話４１は二次電池３により駆動する。
【００２９】
二次電池３は、上記第１の実施の形態と同様に、デジタルスチルカメラ１及びプリンタ２に装着可能なものである。
【００３０】
図７は、図６のデータ通信システムの内部構成の概略を示すブロック図である。
【００３１】
図７において、携帯電話４１は、画像を表示するための液晶表示部７０と、該液晶表示部７０に接続された制御部７１と、該制御部７１に接続された通信部７２とを備える。
【００３２】
上述したように、二次電池３内のメモリ２７に格納された画像データは、制御部２６を経て通信部２５により携帯電話４１側の通信部７２と通信し、制御部７１に送られる。制御部７１は、画像データを液晶表示部７０に送信し、該液晶表示部７０により画像を表示する。  このように、デジタルスチルカメラ４０にて撮影された画像データは、二次電池３内のメモリ２７に格納することが可能である。そして、メモリ２７に格納された画像データは、図７に示すように、携帯電話４１に装着された二次電池３を介して液晶表示部７０に画像５１として表示される。また、この画像データは携帯電話４１が備える通信機能を用いて送信することが可能である。
【００３３】
また、画像データを携帯電話４１の待ち受け画面に使用することも可能であることは勿論のこと、該画像データを離れた場所に転送することが可能である。これにより、例えば、ニュースの画像など撮影後すぐに送信が必要な場合にはリアルタイムな報道が可能となり、また旅先などから知人にすぐ様子を伝えることができるなど有効に利用することができる。  上記第２の実施の形態によれば、デジタルスチルカメラ１に装着された二次電池３が該デジタルスチルカメラ１から画像データを受信してメモリ２７に記憶し、携帯電話４１に装着された二次電池３のメモリ２７から画像データを読み出して液晶表示部７０に表示するので、デジタルスチルカメラ１と携帯電話４１との間で煩雑な有線接続やメモリカード等の記録媒体を媒介することなく、簡単な操作で機器間のデータ通信を行うことができる。また、赤外線による通信装置を設置することなくデータ通信を行うことができる。
【００３４】
上記第１、第２の実施の形態では、デジタルスチルカメラ１やプリンタ２、携帯電話４１を二次電池３が装着可能な機器として利用しているが、これに限られず、ノートパソコンやその周辺機器などでもよいことは云うまでもない。また、データ通信で送受信されるデータは、画像データだけでなく、他のデータであってもよい。
【００３５】
本発明の実施態様の例を以下に列挙する。
【００３６】
〔実施態様１〕  二次電池と、該二次電池により駆動する機器とで構成されたデータ通信システムにおいて、前記二次電池は、前記機器に接続する接続手段と、前記接続された機器とデータを送受信する通信手段と、前記データを記憶する記憶手段とを備えることを特徴とするデータ通信システム。
【００３７】
この実施態様により、二次電池により駆動する機器との間で煩雑な有線接続やメモリカード等の記録媒体を媒介することなく、簡単な操作でデータ通信を行うことができる。
【００３８】
〔実施態様２〕  前記機器がデジタルスチルカメラであることを特徴とする実施態様１記載のデータ通信システム。
【００３９】
〔実施態様３〕  前記機器がプリンタであることを特徴とする実施態様１記載のデータ通信システム。
【００４０】
〔実施態様４〕  前記機器が携帯電話であることを特徴とする実施態様１記載のデータ通信システム。
【００４１】
【発明の効果】
以上詳細に説明したように、本発明によれば、二次電池が接続された機器との間でデータを送受信し、該データを記憶するので、二次電池により駆動する機器との間で煩雑な有線接続やメモリカード等の記録媒体を媒介することなく、簡単な操作でデータ通信を行うことができる。
【図面の簡単な説明】
【図１】本発明の第１の実施の形態に係るデータ通信システムの一例を示す概略図である。
【図２】図１のデータ通信システムの内部構成の概略を示すブロック図である。
【図３】図１のデータ通信システムの変形例を示す概略図である。
【図４】図３のデータ通信システムの内部構成の概略を示すブロック図である。
【図５】図３のデータ通信システムにおける印刷モード切替処理を示すフローチャートである。
【図６】本発明の第２の実施の形態に係るデータ通信システムの概略図である。
【図７】図６のデータ通信システムの内部構成の概略を示すブロック図である。
【図８】図７における液晶表示部７０に表示される画像データの一例を示す図である。
【符号の説明】
１  デジタルスチルカメラ
２  プリンタ
３  二次電池
４  端子部
２５  通信部
２６  制御部
２７  メモリ
２８  保護回路
２９  電池セル
【図１】
2004185216.tif 000003
【図２】
2004185216.tif 000004
【図３】
2004185216.tif 000005
【図４】
2004185216.tif 000006
【図５】
2004185216.tif 000007
【図６】
2004185216.tif 000008
【図７】
2004185216.tif 000009
【図８】
2004185216.tif 000010